(57)【特許請求の範囲】
【請求項１】
電気信号を振動に変換して音響を発する第１のスピーカーユニット及び第２のスピーカーユニットと、
前記第１のスピーカーユニットの背面側を覆う第１のエンクロージャーと、
前記第２のスピーカーユニットの背面側を覆う第２のエンクロージャーとを備え、
前記第１のエンクロージャー及び前記第２のエンクロージャーは、一端が開口した有底筒状の外筐体及び内筐体を有し、前記外筐体の内側に前記内筐体を収容した状態で互いの開口端が接合されると共に、前記外筐体と前記内筐体との間に空隙が設けられた二重構造を有し、
前記内筐体は、前記開口端の内側の内周面から全周に亘って突出された段差部を有し、
前記第１のスピーカーユニットは、前記第１のエンクロージャーの前記開口端から前記内筐体の内側に嵌め込まれた状態で、前記段差部に接触するシール部材を介して取り付けられ、
前記第２のスピーカーユニットは、前記第２のエンクロージャーの前記開口端から前記内筐体の内側に嵌め込まれた状態で、前記段差部に接触するシール部材を介して取り付けられ、
前記第１のスピーカーユニット及び前記第２のスピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記第１のスピーカーユニット及び前記第２のスピーカーユニットが前記内筐体の内側に嵌め込まれた状態において、前記複数のフック片が弾性変形した状態で前記段差部に係止されると共に、前記シール部材が弾性変形した状態で前記段差部に密着した状態となり、
前記第１のエンクロージャーと前記第２のエンクロージャーとは、前記外筐体の底面側を互いに突き合わせた状態で配置されていることを特徴とするスピーカー装置。
【請求項２】
前記第１のエンクロージャーと前記第２のエンクロージャーとは、前記外筐体の底面側に配置された緩衝部材を介して互いに突き合わされていることを特徴とする請求項１に記載のスピーカー装置。
【請求項３】
前記第１のエンクロージャー及び前記第２のエンクロージャーを支持する支持脚と備え、
前記支持脚は、前記第１のエンクロージャーと前記第２のエンクロージャーとの突き合わせ部分を保持することを特徴とする請求項１又は２に記載のスピーカー装置。
【請求項４】
前記第１のスピーカーユニット及び前記第２のスピーカーユニットには、互いに同じスピーカーユニットを用い、
前記第１のエンクロージャー及び前記第２のエンクロージャーには、互いに同じエンクロージャーを用い、
前記第１のスピーカーユニットと前記第２のスピーカーユニットとは、互いに同じ音響を同時に発することを特徴とする請求項１〜３の何れか一項に記載のスピーカー装置。
【請求項５】
前記第１のスピーカーユニットは、シール部材を介して前記第１のエンクロージャーとは非接触な状態で取り付けられ、
前記第２のスピーカーユニットは、シール部材を介して前記第２のエンクロージャーとは非接触な状態で取り付けられていることを特徴とする請求項１〜４の何れか一項に記載のスピーカー装置。
【請求項６】
電気信号を振動に変換して音響を発する第１のスピーカーユニット及び第２のスピーカーユニットと、
前記第１のスピーカーユニット及び前記第２のスピーカーユニットの背面側を覆うエンクロージャーとを備え、
前記エンクロージャーは、両端が開口した筒状の外筐体と、一端が開口した有底筒状の第１の内筐体及び第２の内筐体とを有し、前記外筐体の一端側から前記第１の内筐体と、他端側から前記第２の内筐体とをそれぞれ内側に収容した状態で、それぞれの開口端が接合されると共に、前記外筐体と前記第１の内筐体及び前記第２の内筐体との間に空隙が設けられた二重構造を有し、
前記第１の内筐体及び前記第２の内筐体は、前記開口端の内側の内周面から全周に亘って突出された段差部を有し、
前記第１のスピーカーユニットは、一方の前記開口端から前記第１の内筐体の内側に嵌め込まれた状態で、前記段差部に接触するシール部材を介して取り付けられ、
前記第２のスピーカーユニットは、他方の前記開口端から前記第２の内筐体の内側に嵌め込まれた状態で、前記段差部に接触するシール部材を介して取り付けられ、
前記第１のスピーカーユニット及び前記第２のスピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記第１のスピーカーユニット及び前記第２のスピーカーユニットが前記第１の内筐体及び前記第２の内筐体の内側に嵌め込まれた状態において、前記複数のフック片が弾性変形した状態で前記段差部に係止されると共に、前記シール部材が弾性変形した状態で前記段差部に密着した状態となることを特徴とするスピーカー装置。
【請求項７】
前記エンクロージャーを支持する支持脚と備え、
前記支持脚は、前記エンクロージャーの一端側と他端側との間の中間位置を保持することを特徴とする請求項６に記載のスピーカー装置。
【請求項８】
前記第１のスピーカーユニット及び前記第２のスピーカーユニットには、互いに同じスピーカーユニットを用い、
前記第１のスピーカーユニットと前記第２のスピーカーユニットとは、互いに同じ音響を同時に発することを特徴とする請求項６又は７に記載のスピーカー装置。
【請求項９】
前記第１のスピーカーユニット及び前記第２のスピーカーユニットは、それぞれシール部材を介して前記エンクロージャーとは非接触な状態で取り付けられていることを特徴とする請求項６〜８の何れか一項に記載のスピーカー装置。
【請求項１０】
前記空隙が真空層を形成していることを特徴とする請求項１〜９の何れか一項に記載のスピーカー装置。
【請求項１１】
電気信号を振動に変換して音響を発するスピーカーユニットと、前記スピーカーユニットの背面側を覆うエンクロージャーとを含む複数のスピーカー装置と、
前記複数のスピーカー装置を支持する支持脚と備え、
前記エンクロージャーは、一端が開口した有底筒状の外筐体及び内筐体を有し、前記外筐体の内側に前記内筐体を収容した状態で互いの開口端が接合されると共に、前記外筐体と前記内筐体との間に空隙が設けられた二重構造を有し、
前記内筐体は、前記開口端の内側の内周面から全周に亘って突出された段差部を有し、
前記スピーカーユニットは、前記エンクロージャーの前記開口端から前記内筐体の内側に嵌め込まれた状態で、前記段差部に接触するシール部材を介して取り付けられ、
前記スピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記スピーカーユニットが前記内筐体の内側に嵌め込まれた状態において、前記複数のフック片が弾性変形した状態で前記段差部に係止されると共に、前記シール部材が弾性変形した状態で前記段差部に密着した状態となり、
前記支持脚は、前記複数のスピーカー装置の前記外筐体の底面側をそれぞれ支持する複数の枝部と、前記複数の枝部を支持する柱部とを有することを特徴とするスピーカーシステム。
【請求項１２】
前記複数の枝部が互いに同じ長さを有し、且つ、前記複数の枝部の隣り合う間の角度が互いに等しくなるように、前記複数の枝部が前記柱部から分岐して設けられていることを特徴とする請求項１１に記載のスピーカーシステム。
【請求項１３】
前記複数のスピーカー装置が正多面体の各頂点に位置するように、前記複数の枝部が前記柱部から分岐して設けられていることを特徴とする請求項１１に記載のスピーカーシステム。
【請求項１４】
前記複数のスピーカー装置には、互いに同じスピーカー装置を用い、
前記複数のスピーカー装置は、互いに同じ音響を同時に発することを特徴とする請求項１１〜１３の何れか一項に記載のスピーカーシステム。
【請求項１５】
前記スピーカーユニットは、シール部材を介して前記エンクロージャーとは非接触な状態で取り付けられていることを特徴とする請求項１１〜１４の何れか一項に記載のスピーカーシステム。
【請求項１６】
前記複数の枝部と前記柱部との集合部分に緩衝部材が設けられていることを特徴とする請求項１１〜１５の何れか一項に記載のスピーカーシステム。
【請求項１７】
前記空隙が真空層を形成していることを特徴とする請求項１１〜１６の何れか一項に記載のスピーカーシステム。
【発明の詳細な説明】
【技術分野】
【０００１】
本発明は、スピーカー装置及びスピーカーシステムに関する。
【背景技術】
【０００２】
一般に、スピーカー装置は、電気信号を振動に変換して音響を発するスピーカーユニットと、スピーカーユニットの背面側を覆うエンクロージャーとを備えている。スピーカー装置では、スピーカーユニットの前面側から放出される音響の振動と、スピーカーユニットの背面側から放出される音響の振動とが逆位相となるため、これらの振動が干渉し合うと、互いに音響を打ち消し合うことになる。これは低音域になるほど顕著である。このため、スピーカー装置では、スピーカーユニットの背面側をエンクロージャーで覆うことによって、スピーカーユニットの背面側から放出される音響を遮断することが行われている。
【０００３】
しかしながら、スピーカー装置では、スピーカーユニットの背面側からエンクロージャー内に放出される音響によってエンクロージャーが振動（場合によっては共振）し、エンクロージャーから不要な振動が外部へと伝播する。このエンクロージャーを介して外部に伝播する振動を抑制するためには、エンクロージャーの厚みを大きくしたり、エンクロージャーの剛性を高めたりする必要がある。この場合、エンクロージャーの重量が著しく増大することになる。
【０００４】
そこで、真空二重構造を有するエンクロージャーによって外部に伝播する振動を抑制したスピーカー装置が提案されている（特許文献１，２を参照。）。具体的に、真空二重構造を有するエンクロージャーは、一端が開口した有底筒状の外筐体及び内筐体を有し、外筐体の内側に内筐体を収容した状態で互いの開口端が接合されると共に、これら外筐体と内筐体との間に高真空に減圧された真空層を有している。スピーカーユニットは、その背面側をエンクロージャーの内側に向けた状態で、エンクロージャーの開口端を閉塞するように取り付けられている。
【０００５】
このようなスピーカー装置によれば、スピーカーユニットの背面側から放出される音響によってエンクロージャーの内筐体が振動しても、真空層によって内筐体から外筐体への振動の伝播が阻止される。これにより、エンクロージャーを介して外部に伝播する振動を抑制することができる。さらに、このエンクロージャーの軽量化を図ることも可能である。
【先行技術文献】
【特許文献】
【０００６】
【特許文献１】実開昭６３−１５６９１号公報
【特許文献２】特開２００３−９２７９１号公報
【発明の概要】
【発明が解決しようとする課題】
【０００７】
ところで、上述したスピーカー装置では、エンクロージャーの開口端を介して内筐体から外筐体へと伝わる振動が発生するため、この振動が音響再現性や、設置面上に設置されたときの設置安定性に与える影響等についても考慮することが求められる。
【０００８】
本発明は、このような従来の事情に鑑みて提案されたものであり、音響再現性及び設置安定性に優れたスピーカー装置及びスピーカーシステムを提供することを目的とする。
【課題を解決するための手段】
【０００９】
上記目的を達成するために、本発明は以下の手段を提供する。
〔１〕  電気信号を振動に変換して音響を発する第１のスピーカーユニット及び第２のスピーカーユニットと、
前記第１のスピーカーユニットの背面側を覆う第１のエンクロージャーと、
前記第２のスピーカーユニットの背面側を覆う第２のエンクロージャーとを備え、
前記第１のエンクロージャー及び前記第２のエンクロージャーは、一端が開口した有底筒状の外筐体及び内筐体を有し、前記外筐体の内側に前記内筐体を収容した状態で互いの開口端が接合されると共に、前記外筐体と前記内筐体との間に空隙が設けられた二重構造を有し、
前記内筐体は、前記開口端の内側の内周面から全周に亘って突出された段差部を有し、
前記第１のスピーカーユニットは、前記第１のエンクロージャーの前記開口端から前記内筐体の内側に嵌め込まれた状態で、前記段差部に接触するシール部材を介して取り付けられ、
前記第２のスピーカーユニットは、前記第２のエンクロージャーの前記開口端から前記内筐体の内側に嵌め込まれた状態で、前記段差部に接触するシール部材を介して取り付けられ、
前記第１のスピーカーユニット及び前記第２のスピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記第１のスピーカーユニット及び前記第２のスピーカーユニットが前記内筐体の内側に嵌め込まれた状態において、前記複数のフック片が弾性変形した状態で前記段差部に係止されると共に、前記シール部材が弾性変形した状態で前記段差部に密着した状態となり、
前記第１のエンクロージャーと前記第２のエンクロージャーとは、前記外筐体の底面側を互いに突き合わせた状態で配置されていることを特徴とするスピーカー装置。
〔２〕  前記第１のエンクロージャーと前記第２のエンクロージャーとは、前記外筐体の底面側に配置された緩衝部材を介して互いに突き合わされていることを特徴とする前記〔１〕に記載のスピーカー装置。
〔３〕  前記第１のエンクロージャー及び前記第２のエンクロージャーを支持する支持脚と備え、
前記支持脚は、前記第１のエンクロージャーと前記第２のエンクロージャーとの突き合わせ部分を保持することを特徴とする前記〔１〕又は〔２〕に記載のスピーカー装置。
〔４〕  前記第１のスピーカーユニット及び前記第２のスピーカーユニットには、互いに同じスピーカーユニットを用い、
前記第１のエンクロージャー及び前記第２のエンクロージャーには、互いに同じエンクロージャーを用い、
前記第１のスピーカーユニットと前記第２のスピーカーユニットとは、互いに同じ音響を同時に発することを特徴とする前記〔１〕〜〔３〕の何れか一項に記載のスピーカー装置。
〔５〕  前記第１のスピーカーユニットは、シール部材を介して前記第１のエンクロージャーとは非接触な状態で取り付けられ、
前記第２のスピーカーユニットは、シール部材を介して前記第２のエンクロージャーとは非接触な状態で取り付けられていることを特徴とする前記〔１〕〜〔４〕の何れか一項に記載のスピーカー装置。
〔６〕  電気信号を振動に変換して音響を発する第１のスピーカーユニット及び第２のスピーカーユニットと、
前記第１のスピーカーユニット及び前記第２のスピーカーユニットの背面側を覆うエンクロージャーとを備え、
前記エンクロージャーは、両端が開口した筒状の外筐体と、一端が開口した有底筒状の第１の内筐体及び第２の内筐体とを有し、前記外筐体の一端側から前記第１の内筐体と、他端側から前記第２の内筐体とをそれぞれ内側に収容した状態で、それぞれの開口端が接合されると共に、前記外筐体と前記第１の内筐体及び前記第２の内筐体との間に空隙が設けられた二重構造を有し、
前記第１の内筐体及び前記第２の内筐体は、前記開口端の内側の内周面から全周に亘って突出された段差部を有し、
前記第１のスピーカーユニットは、一方の前記開口端から前記第１の内筐体の内側に嵌め込まれた状態で、前記段差部に接触するシール部材を介して取り付けられ、
前記第２のスピーカーユニットは、他方の前記開口端から前記第２の内筐体の内側に嵌め込まれた状態で、前記段差部に接触するシール部材を介して取り付けられ、
前記第１のスピーカーユニット及び前記第２のスピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記第１のスピーカーユニット及び前記第２のスピーカーユニットが前記第１の内筐体及び前記第２の内筐体の内側に嵌め込まれた状態において、前記複数のフック片が弾性変形した状態で前記段差部に係止されると共に、前記シール部材が弾性変形した状態で前記段差部に密着した状態となることを特徴とするスピーカー装置。
〔７〕  前記エンクロージャーを支持する支持脚と備え、
前記支持脚は、前記エンクロージャーの一端側と他端側との間の中間位置を保持することを特徴とする前記〔６〕に記載のスピーカー装置。
〔８〕  前記第１のスピーカーユニット及び前記第２のスピーカーユニットには、互いに同じスピーカーユニットを用い、
前記第１のスピーカーユニットと前記第２のスピーカーユニットとは、互いに同じ音響を同時に発することを特徴とする前記〔６〕又は〔７〕に記載のスピーカー装置。
〔９〕  前記第１のスピーカーユニット及び前記第２のスピーカーユニットは、それぞれシール部材を介して前記エンクロージャーとは非接触な状態で取り付けられていることを特徴とする前記〔６〕〜〔８〕の何れか一項に記載のスピーカー装置。
〔１０〕  前記空隙が真空層を形成していることを特徴とする前記〔１〕〜〔９〕の何れか一項に記載のスピーカー装置。
〔１１〕  電気信号を振動に変換して音響を発するスピーカーユニットと、前記スピーカーユニットの背面側を覆うエンクロージャーとを含む複数のスピーカー装置と、
前記複数のスピーカー装置を支持する支持脚と備え、
前記エンクロージャーは、一端が開口した有底筒状の外筐体及び内筐体を有し、前記外筐体の内側に前記内筐体を収容した状態で互いの開口端が接合されると共に、前記外筐体と前記内筐体との間に空隙が設けられた二重構造を有し、
前記内筐体は、前記開口端の内側の内周面から全周に亘って突出された段差部を有し、
前記スピーカーユニットは、前記エンクロージャーの前記開口端から前記内筐体の内側に嵌め込まれた状態で、前記段差部に接触するシール部材を介して取り付けられ、
前記スピーカーユニットは、周方向に並んで配置され、軸線方向に延長されると共に、縮径方向に弾性変形可能とされた複数のフック片を有し、
前記シール部材は、前記複数のフック片の外周部に架け渡された状態で取り付けられ、
前記スピーカーユニットが前記内筐体の内側に嵌め込まれた状態において、前記複数のフック片が弾性変形した状態で前記段差部に係止されると共に、前記シール部材が弾性変形した状態で前記段差部に密着した状態となり、
前記支持脚は、前記複数のスピーカー装置の前記外筐体の底面側をそれぞれ支持する複数の枝部と、前記複数の枝部を支持する柱部とを有することを特徴とするスピーカーシステム。
〔１２〕  前記複数の枝部が互いに同じ長さを有し、且つ、前記複数の枝部の隣り合う間の角度が互いに等しくなるように、前記複数の枝部が前記柱部から分岐して設けられていることを特徴とする前記［１１］に記載のスピーカーシステム。
〔１３〕  前記複数のスピーカー装置が正多面体の各頂点に位置するように、前記複数の枝部が前記柱部から分岐して設けられていることを特徴とする前記〔１１〕に記載のスピーカーシステム。
〔１４〕  前記複数のスピーカー装置には、互いに同じスピーカー装置を用い、
前記複数のスピーカー装置は、互いに同じ音響を同時に発することを特徴とする前記〔１１〕〜〔１３〕の何れか一項に記載のスピーカーシステム。
〔１５〕  前記スピーカーユニットは、シール部材を介して前記エンクロージャーとは非接触な状態で取り付けられていることを特徴とする前記〔１１〕〜〔１４〕の何れか一項に記載のスピーカーシステム。
〔１６〕  前記複数の枝部と前記柱部との集合部分に緩衝部材が設けられていることを特徴とする前記〔１１〕〜〔１５〕の何れか一項に記載のスピーカーシステム。
〔１７〕  前記空隙が真空層を形成していることを特徴とする〔１１〕〜〔１６〕の何れか一項に記載のスピーカーシステム。
【発明の効果】
【００１０】
以上のように、本発明によれば、音響再現性及び設置安定性に優れたスピーカー装置を提供することが可能である。
【図面の簡単な説明】
【００１１】
【図１】本発明の第１の実施形態に係るスピーカー装置の構成を示す側面図である。
【図２】図１に示すスピーカー装置の要部の構成を示す断面図である。
【図３】エンクロージャーにスピーカーユニットが嵌め込まれたスピーカー装置の構成を示す断面図である。
【図４】図１に示すスピーカー装置の変形例を示す側面図である。
【図５】図４に示すスピーカー装置の要部の構成を示す断面図である。
【図６】図１に示すスピーカー装置の変形例を示す側面図である。
【図７】図６に示すスピーカー装置の要部の構成を示す断面図である。
【図８】図１に示すスピーカー装置の変形例を示す側面図である。
【図９】図８に示すスピーカー装置の要部の構成を示す断面図である。
【図１０】図８に示すスピーカー装置の変形例を示す側面図である。
【図１１】本発明の第２の実施形態に係るスピーカー装置の構成を示す側面図である。
【図１２】図１１に示すスピーカー装置の要部の構成を示す断面図である。
【図１３】図１１に示すスピーカー装置の変形例を示す側面図である。
【図１４】図１３に示すスピーカー装置の要部の構成を示す断面図である。
【図１５】図１１に示すスピーカー装置の変形例を示す側面図である。
【図１６】図１５に示すスピーカー装置の要部の構成を示す断面図である。
【図１７】図１１に示すスピーカー装置の変形例を示す側面図である。
【図１８】本発明の第３の実施形態に係るスピーカーシステムの構成を示す側面図である。
【図１９】図１８に示すスピーカーシステムの変形例を示す側面図である。
【図２０】図１８に示すスピーカーシステムの変形例を示す斜視図である。
【発明を実施するための形態】
【００１２】
以下、本発明の実施形態について、図面を参照して詳細に説明する。
［第１の実施形態］
（スピーカー装置）
先ず、本発明の第１の実施形態として、例えば図１及び図２に示すスピーカー装置１Ａについて説明する。なお、図１は、スピーカー装置１Ａの構成を示す側面図である。図２は、図１に示すスピーカー装置１Ａの要部の構成を示す断面図である。
【００１３】
スピーカー装置１Ａは、図１及び図２に示すように、電気信号を振動に変換して音響を発する第１のスピーカーユニット２Ａ及び第２のスピーカーユニット２Ｂと、第１のスピーカーユニット２Ａの背面側を覆う第１のエンクロージャー３Ａと、第２のスピーカーユニット２Ｂの背面側を覆う第２のエンクロージャー３Ｂと、第１のエンクロージャー３Ａ及び第２のエンクロージャー３Ｂを支持する支持脚４と備えている。
【００１４】
本実施形態では、図３に示すように、第１のスピーカーユニット２Ａ及び第２のスピーカーユニット２Ｂとして、互いに同じスピーカーユニット２を用いている。すなわち、第１のスピーカーユニット２Ａ及び第２のスピーカーユニット２Ｂは、互いに同じ形状であり、なお且つ、互いに同じ出力を有している。また、本実施形態では、第１のエンクロージャー３Ａ及び第２のエンクロージャー３Ｂとして、互いに同じ材質及び形状のエンクロージャー３を用いている。
【００１５】
したがって、スピーカー装置１Ａは、エンクロージャー３にスピーカーユニット２が嵌め込まれた２つのスピーカー装置１を組み合わせた構成である。なお、図３は、スピーカー装置１の構成を示す断面図である。
【００１６】
第１のスピーカーユニット２Ａ及び第２のスピーカーユニット２Ｂは、その構成について特に限定されるものではなく、一般的なスピーカーユニットを用いることができる。一般に、スピーカーユニット２は、磁気回路１１と、磁気回路１１の磁気ギャップ中で移動自在とされたボイスコイル１２と、ボイスコイル１２に取り付けられた振動板１３と、磁気回路１１及び振動板１３を支持するフレーム１４とを有して、ボイスコイル１２に電気信号を供給し、この電気信号に応じて振動板１３を振動させることによって、音響を発することが可能となっている。
【００１７】
第１のエンクロージャー３Ａ及び第２のエンクロージャー３Ｂは、例えばステンレス鋼等からなり、一端が開口した有底筒状の外筐体５及び内筐体６を有している。第１のエンクロージャー３Ａ及び第２のエンクロージャー３Ｂは、外筐体５の内側に内筐体６を収容した状態で互いの開口端３ａが接合されると共に、これら外筐体５と内筐体６との間に真空層７が設けられた真空二重構造を有している。真空層７は、例えば、高真空に減圧（真空引き）されたチャンバー内で、外筐体５の底面中央部に設けられた脱気孔（図示せず。）を塞ぐことによって形成することができる。
【００１８】
第１のエンクロージャー３Ａ及び第２のエンクロージャー３Ｂは、円形状の底面部３ｂと、底面部３ｂの外周から起立した円筒状の胴部３ｃと、胴部３ｃの一端（開口端３ａ）において開口した円形状の開口部３ｄとを有している。
【００１９】
また、第１のエンクロージャー３Ａ及び第２のエンクロージャー３Ｂは、外筐体５の底面部３ｂと胴部３ｃとを形成する底端部３ｅを接合した構造を有している。一方、内筐体６は、胴部と底面部とを溶接せずに、絞り加工等により胴部と底面部とを一体に成形すると、溶接不良や溶接痕等が生じないため望ましい。
【００２０】
第１のスピーカーユニット２Ａは、第１のエンクロージャー３Ａの開口端３ａを閉塞するように、開口端３ａから内筐体６の内側に嵌め込まれた状態で取り付けられている。同様に、第２のスピーカーユニット２Ｂは、第２のエンクロージャー３Ｂの開口端３ａを閉塞するように、開口端３ａから内筐体６の内側に嵌め込まれた状態で取り付けられている。
【００２１】
また、第１のスピーカーユニット２Ａ及び第２のスピーカーユニット２Ｂは、シール部材８を介してそれぞれのエンクロージャー３Ａ，３Ｂとは非接触な状態で取り付けられている。
【００２２】
シール部材８は、例えばシリコーンゴム等のゴムやエラストマーなど弾性部材からなり、リング状に形成されている。シール部材８は、第１のスピーカーユニット２Ａ及び第２のスピーカーユニット２Ｂの外周部に取り付けられて、内筐体６の内側に嵌め込まれた際に、弾性変形しながら内筐体６の内周面に全周に亘って密着した状態となる。これにより、第１のスピーカーユニット２Ａ及び第２のスピーカーユニット２Ｂの背面側から第１のエンクロージャー３Ａ及び第２のエンクロージャー３Ｂ内に放出される音響が外部に漏れ出るのを防ぐと共に、不要な振動が第１のスピーカーユニット２Ａ及び第２のスピーカーユニット２Ｂから第１のエンクロージャー３Ａ及び第２のエンクロージャー３Ｂへと伝わるのを防ぐことができる。
【００２３】
具体的に、内筐体６には、リング状の段差部１５が開口端３ａ側の内周面から全周に亘って突出して設けられている。一方、シール部材８は、肉厚が一定ではなく、段差部１５の頂上側の平坦面部１５ａに接触した薄肉の第１のシール部８ａと、段差部１５の入側の傾斜面部１５ｂに接触した厚肉の第２のシール部８ｂとを有している。シール部材８は、肉厚を変えることで、スピーカーユニット２とエンクロージャー３とを確実に密着した状態とすることができる。
【００２４】
シール部材８は、第１のスピーカーユニット２Ａ及び第２のスピーカーユニット２Ｂにそれぞれ取り付けられている。具体的に、第１のスピーカーユニット２Ａ及び第２のスピーカーユニット２Ｂは、それぞれフレーム１４の外周部に一端が接続された円筒部材１６を有している。円筒部材１６の他端には、軸線方向に延長されると共に、縮径方向に弾性変形可能な複数のフック片１７が設けられている。複数のフック片１７は、円筒部材１６の周方向に並んで設けられている。シール部材８は、各フック片１７の外周部に架け渡された状態で取り付けられている。
【００２５】
これにより、第１のスピーカーユニット２Ａと第１のエンクロージャー３Ａとの間をシール部材８により密閉することができる。同様に、第２のスピーカーユニット２Ｂと第２のエンクロージャー３Ｂとの間をシール部材８により密閉することができる。
【００２６】
なお、本実施形態のスピーカー装置１Ａでは、第１のスピーカーユニット２Ａ及び第２のスピーカーユニット２Ｂの背面側から第１のエンクロージャー３Ａ及び第２のエンクロージャー３Ｂ内に放出される音響によって、内筐体６に不要な振動（共振など。）が発生するのを防ぐため、内筐体６の内側に、例えばスポンジなどの吸音材を配置してもよい。また、外筐体５及び内筐体６に振動による共振が生じないように、共振点をずらすための部材等を貼り付けることも可能である。
【００２７】
第１のエンクロージャー３Ａと第２のエンクロージャー３Ｂとは、図１及び図２に示すように、外筐体５の底面側を互いに突き合わせた状態で配置されている。具体的に、第１のエンクロージャー３Ａと第２のエンクロージャー３Ｂとは、互いの外筐体５の底端部３ｅ同士を突き合わせた状態で、支持脚４に対して一体に取り付けられている。なお、第１のエンクロージャー３Ａと第２のエンクロージャー３Ｂとは、互いの底端部３ｅを接着剤により一体に接合した構成としてもよい。
【００２８】
支持脚４は、第１のエンクロージャー３Ａと第２のエンクロージャー３Ｂとの突き合わせ部分を保持する保持枠４ａと、保持枠４ａを支持する柱部４ｂと、柱部４ｂを支持する脚部４ｃとを有している。保持枠４ａは、第１のエンクロージャー３Ａ及び第２のエンクロージャー３Ｂの胴部３ｃに対応して、円形枠状に形成されている。柱部４ｂは、脚部４ｃの中央から立設した状態で、第１のエンクロージャー３Ａ及び第２のエンクロージャー３Ｂが水平となるように、保持枠４ａと接続されている。脚部４ｃは、設置面上に設置されたときの設置安定性を確保するため、柱部４ｂを中心に周囲に脚を伸ばした形状を有している。
【００２９】
以上のような構成を有するスピーカー装置１Ａでは、第１のスピーカーユニット２Ａ及び第２のスピーカーユニット２Ｂの背面側から放出される音響によって第１のエンクロージャー３Ａ及び第２のエンクロージャー３Ｂの内筐体６が振動しても、真空層７によって内筐体６から外筐体５への振動の伝播が阻止される。これにより、第１のエンクロージャー３Ａ及び第２のエンクロージャー３Ｂを介して外部に伝播する振動を抑制することができる。さらに、第１のエンクロージャー３Ａ及び第２のエンクロージャー３Ｂの軽量化を図ることも可能である。
【００３０】
ところで、本実施形態のスピーカー装置１Ａでは、第１のエンクロージャー３Ａと第２のエンクロージャー３Ｂとが、外筐体５の底面側を互いに突き合わせた状態で配置されている。具体的には、第１のエンクロージャー３Ａと第２のエンクロージャー３Ｂとの互いの外筐体５の底端部３ｅ同士が突き合わされている。
【００３１】
この場合、第１のスピーカーユニット２Ａ及び第２のスピーカーユニット２Ｂの背面側から放出される音響によって第１のエンクロージャー３Ａ及び第２のエンクロージャー３Ｂの内筐体６が振動したときに、第１のエンクロージャー３Ａの開口端３ａを介して内筐体６から外筐体５へと伝わる振動と、第２のエンクロージャー３Ｂの開口端３ａを介して内筐体６から外筐体５へと伝わる振動とが互いに打ち消し合う。
【００３２】
これにより、本実施形態のスピーカー装置１Ａでは、不要な振動を抑制できるため、優れた音響再現性と設置安定性とを得ることが可能である。
【００３３】
具体的に、本実施形態のスピーカー装置１Ａを用いて、第１のスピーカーユニット２Ａのみに、１００Ｈｚの電気信号を流したところ、第１のエンクロージャー３Ａの外面（外筐体５）を触ると、微妙に振動していることを確認した。その後、第２のスピーカーユニット２Ｂにも同時に同じ電気信号を流したところ、第１のエンクロ−ジャー３Ａの振動が収まることを確認した。また、第２のエンクロージャー３Ｂも同様に振動していないことを確認した。さらに、この状態から、第１のスピーカーユニット２Ａへの電気信号を止め、第２のスピーカーユニット３Ｂのみに電気信号を流したところ、第２のエンクロージャー３Ｂの外面（外筐体５）が振動していることを確認した。
【００３４】
次に、電気信号を１０００Ｈｚに変更して同じ操作を行ったところ、一方のスピーカーユニット２Ａ（２Ｂ）のみに電気信号を流した場合には、電気信号を流した方のエンクロージャー３Ａ（３Ｂ）のみが振動し、両方のスピーカーユニット２Ａ，２Ｂに電気信号を流した場合には、両方のエンクロージャー３Ａ，３Ｂの振動が収まることを確認した。また、一方のスピーカーユニット２Ａ（２Ｂ）のみに電機信号を流した場合の振動は、低周波数であるほど顕著であることを確認した。
【００３５】
（変形例）
なお、第１の実施形態では、上記図１及び図２に示すスピーカー装置１Ａの構成に必ずしも限定されるものではなく、本発明の趣旨を逸脱しない範囲において種々の変更を加えることが可能である。
【００３６】
具体的に、上記スピーカー装置１Ａでは、第１のエンクロージャー３Ａ及び第２のエンクロージャー３Ｂの形状を、例えば図４及び図５に示すような形状とすることが可能である。すなわち、図４及び図５に示す第１のエンクロージャー３Ａ及び第２のエンクロージャー３Ｂは、互いに突き合わされた底面部３ｅ側において縮径された形状を有している。なお、図４は、スピーカー装置１Ａの変形例を示す側面図である。図５は、図４に示すスピーカー装置１Ａの要部の構成を示す断面図である。
【００３７】
一方、上記スピーカー装置１Ａでは、第１のエンクロージャー３Ａ及び第２のエンクロージャー３Ｂの形状を、例えば図６及び図７に示すような形状とすることが可能である。すなわち、図６及び図７に示す第１のエンクロージャー３Ａ及び第２のエンクロージャー３Ｂは、互いに突き合わされた底面部３ｅ側において拡径された形状を有している。なお、図６は、スピーカー装置１Ａの変形例を示す側面図である。図７は、図６に示すスピーカー装置１Ａの要部の構成を示す断面図である。
【００３８】
このように、上記スピーカー装置１Ａでは、第１のエンクロージャー３Ａ及び第２のエンクロージャー３Ｂの形状について、適宜変更を加えることが可能である。また、第１のエンクロージャー３Ａ及び第２のエンクロージャー３Ｂの形状を変更するのに合わせて、支持脚４についても適宜変更を加えることが可能である。
【００３９】
また、上記スピーカー装置１Ａは、例えば図８及び図９に示すように、第１のエンクロージャー３Ａと第２のエンクロージャー３Ｂとが、外筐体５の底面側に配置された緩衝部材（スペーサー）９を介して互いに突き合わされた構成としてもよい。なお、図８は、スピーカー装置１Ａの変形例を示す側面図である。図９は、図８に示すスピーカー装置１Ａの要部の構成を示す断面図である。
【００４０】
この場合、第１のエンクロージャー３Ａの開口端３ａを介して内筐体６から外筐体５へと伝わる振動と、第２のエンクロージャー３Ｂの開口端３ａを介して内筐体６から外筐体５へと伝わる振動とが緩衝部材９を介して互いに打ち消し合う。また、緩衝部材９は、底端部３ｅと底面部３ｂとで構成される閉空間内に隙間がないように配置することが好ましい。これにより、図８及び図９に示すスピーカー装置１Ａでは、緩衝部材９により不要な振動を抑制できるため、優れた音響再現性と設置安定性とを得ることが可能である。なお、緩衝部材９の材質については、振動を減衰（吸収）するものであればよく、例えばエラストマーや樹脂などを用いることができる。
【００４１】
さらに、上記スピーカー装置１Ａでは、例えば図１０に示すように、支持脚４の保持枠４ａの内側に保持された緩衝部材９を介して、第１のエンクロージャー３Ａと第２のエンクロージャー３Ｂとの底面側が互いに突き合わされた構成としてもよい。
【００４２】
［第２の実施形態］
（スピーカー装置）
次に、本発明の第２の実施形態として、例えば図１１及び図１２に示すスピーカー装置１Ｂについて説明する。なお、図１１は、スピーカー装置１Ｂの構成を示す側面図である。図１２は、図１１に示すスピーカー装置１Ｂの要部の構成を示す断面図である。また、以下の説明では、上記スピーカー装置１Ａと同等の部位については、説明を省略すると共に、図面において同じ符号を付すものとする。
【００４３】
スピーカー装置１Ｂは、図１１及び図１２に示すように、電気信号を振動に変換して音響を発する第１のスピーカーユニット２Ａ及び第２のスピーカーユニット２Ｂと、第１のスピーカーユニット２Ａ及び第２のスピーカーユニット２Ｂの背面側を覆うエンクロージャー３Ｃと、エンクロージャー３Ｃを支持する支持脚４と備えている。
【００４４】
すなわち、このスピーカー装置１Ｂは、上記スピーカー装置１Ａが備える第１のエンクロージャー３Ａ及び第２のエンクロージャー３Ｂの代わりに、エンクロージャー３Ｃを備えた構成である以外は、上記スピーカー装置１Ａと基本的に同じ構成である。
【００４５】
エンクロージャー３Ｃは、両端が開口した円筒状の外筐体５Ａと、一端が開口した有底筒状の第１の内筐体６Ａ及び第２の内筐体６Ｂとを有している。エンクロージャー３Ｃは、外筐体５Ａの一端側から第１の内筐体６Ａと、他端側から第２の内筐体６Ｂとをそれぞれ内側に収容した状態で、それぞれの開口端３ａが接合されると共に、外筐体５Ａと第１の内筐体６Ａ及び第２の内筐体６Ｂとの間に真空層７が設けられた真空二重構造を有している。また、エンクロージャー３Ｃは、円筒状の胴部３ｃと、胴部３ｃの両端（開口端３ａ）において開口した円形状の開口部３ｄとを有している。
【００４６】
第１の内筐体６Ａと第２の内筐体６Ｂとは、外筐体５Ａの内側で互いに離間した状態で配置されている。さらに、第１の内筐体６Ａと第２の内筐体６Ｂとは、真空層７を挟んで互いの底面側を対向させている。
【００４７】
第１のスピーカーユニット２Ａは、一方の開口端３ａから第１の内筐体６Ａの内側に嵌め込まれた状態で取り付けられている。同様に、第２のスピーカーユニット２Ｂは、他方の開口端３ａから第２の内筐体６Ｂの内側に嵌め込まれた状態で取り付けられている。
【００４８】
また、第１のスピーカーユニット２Ａ及び第２のスピーカーユニット２Ｂは、シール部材８を介してそれぞれのエンクロージャー３Ｃとは非接触な状態で取り付けられている。これにより、不要な振動が第１のスピーカーユニット２Ａ及び第２のスピーカーユニット２Ｂからエンクロージャー３Ｃへと伝わるのを防ぐことができる。
【００４９】
支持脚４は、エンクロージャー３Ｃの一端側と他端側との間の中間位置を保持している。すなわち、支持脚４の保持枠４ａは、エンクロージャー３Ｃの胴部３ｃの中間部分を保持している。
【００５０】
以上のような構成を有するスピーカー装置１Ｂでは、第１のスピーカーユニット２Ａ及び第２のスピーカーユニット２Ｂの背面側から放出される音響によってエンクロージャー３Ｃの第１の内筐体６Ａ及び第２の内筐体６Ｂが振動しても、真空層７によって第１の内筐体６Ａ及び第２の内筐体６Ｂから外筐体５Ａへの振動の伝播が阻止される。これにより、エンクロージャー３Ｃを介して外部に伝播する振動を抑制することができる。さらに、エンクロージャー３の軽量化を図ることも可能である。
【００５１】
ところで、本実施形態のスピーカー装置１Ｂでは、エンクロージャー３の両端から第１の内筐体６Ａ及び第２の内筐体６Ｂの内側に第１のスピーカーユニット２Ａ及び第２のスピーカーユニット２Ｂが嵌め込まれた状態で取り付けられている。
【００５２】
この場合、第１のスピーカーユニット２Ａ及び第２のスピーカーユニット２Ｂの背面側から放出される音響によって第１の内筐体６Ａ及び第２の内筐体６Ｂが振動したときに、エンクロージャー３Ｃの一方の開口端３ａを介して第１の内筐体６Ａから外筐体５Ａへと伝わる振動と、エンクロージャー３Ｃの他方の開口端３ａを介して第２の内筐体６Ｂから外筐体５Ａへと伝わる振動とが互いに打ち消し合う。
【００５３】
これにより、本実施形態のスピーカー装置１Ｂでは、不要な振動を抑制できるため、優れた音響再現性と設置安定性とを得ることが可能である。
【００５４】
（変形例）
なお、第２の実施形態では、上記図１１及び図１２に示すスピーカー装置１Ｂの構成に必ずしも限定されるものではなく、本発明の趣旨を逸脱しない範囲において種々の変更を加えることが可能である。
【００５５】
具体的に、上記スピーカー装置１Ｂでは、エンクロージャー３Ｃの形状を、例えば図１３及び図１４に示すような形状とすることが可能である。すなわち、図１３及び図１４に示すエンクロージャー３Ｃは、支持脚４の保持枠４ａの保持されるエンクロージャー３Ｃの中間部分において縮径された形状を有している。なお、図１３は、スピーカー装置１Ｂの変形例を示す側面図である。図１４は、図１３に示すスピーカー装置１Ｂの要部の構成を示す断面図である。
【００５６】
一方、上記スピーカー装置１Ｂでは、エンクロージャー３Ｃの形状を、例えば図１５及び図１６に示すような形状とすることが可能である。すなわち、図１５及び図１６に示すエンクロージャー３Ｃは、支持脚４の保持枠４ａの保持されるエンクロージャー３Ｃの中間部分において拡径された形状を有している。なお、図１５は、スピーカー装置１Ｂの変形例を示す側面図である。図１６は、図１５に示すスピーカー装置１Ｂの要部の構成を示す断面図である。
【００５７】
このように、上記スピーカー装置１Ｂでは、エンクロージャー３Ｃの形状について、適宜変更を加えることが可能である。また、エンクロージャー３Ｃの形状を変更するのに合わせて、支持脚４についても適宜変更を加えることが可能である。
【００５８】
さらに、上記スピーカー装置１Ｂでは、例えば図１７に示すように、支持脚４の保持枠４ａの内側に保持されるエンクロージャー３Ｃの中間部分を縮径することによって、保持枠４ａの外周面がエンクロージャー３Ｃの外周面と面一となる構成としてもよい。
【００５９】
［第３の実施形態］
（スピーカーシステム）
次に、本発明の第３の実施形態として、例えば図１８に示すスピーカーシステム１００について説明する。なお、図１８は、スピーカーシステム１００の構成を示す側面図である。また、以下の説明では、上記スピーカー装置１Ａと同等の部位については、説明を省略すると共に、図面において同じ符号を付すものとする。
【００６０】
スピーカーシステム１００は、図１８に示すように、電気信号を振動に変換して音響を発するスピーカーユニット２と、スピーカーユニット２の背面側を覆うエンクロージャー３とを含む複数（本実施形態では２つ）のスピーカー装置１と、複数のスピーカー装置１を支持する支持脚４０と備えている。なお、スピーカー装置１は、図３に示す構成と同じである。
【００６１】
支持脚４０は、複数のスピーカー装置１の外筐体５の底面側をそれぞれ支持する複数（本実施形態では２本）の枝部４１と、複数の枝部４１を支持する柱部４２と、柱部４２を支持する脚部４３とを有している。
【００６２】
複数の枝部４１は、互いに同じ材質及び形状（長さや太さ）を有している。また、複数の枝部４１は、隣り合う間の角度が互いに等しくなるように、柱部４２から分岐して設けられている。柱部４２は、脚部４３の中央から立設した状態で設けられている。脚部４３は、設置面上に設置されたときの設置安定性を確保するため、柱部４２を中心に周囲に脚を伸ばした形状を有している。
【００６３】
以上のような構成を有するスピーカーシステム１００では、それぞれのスピーカー装置１において、スピーカーユニット２の背面側から放出される音響によってエンクロージャー３の内筐体６が振動しても、真空層７によって内筐体６から外筐体５への振動の伝播が阻止される。これにより、エンクロージャー３を介して外部に伝播する振動を抑制することができる。さらに、エンクロージャー３の軽量化を図ることも可能である。
【００６４】
ところで、本実施形態のスピーカーシステム１００では、柱部４２から互いに同じ長さ且つ同じ角度で分岐した複数の枝部４１によって、それぞれスピーカー装置１の外筐体５の底面側が支持されている。
【００６５】
この場合、それぞれのスピーカー装置１において、スピーカーユニット２の背面側から放出される音響によって内筐体６が振動したときに、エンクロージャー３の開口端３ａを介して内筐体６から外筐体５へと伝わる振動が、それぞれの枝部４１を介して互いに打ち消し合う。
【００６６】
これにより、本実施形態のスピーカーシステム１００では、不要な振動を抑制できるため、優れた音響再現性と設置安定性とを得ることが可能である。
【００６７】
（変形例）
なお、第３の実施形態では、上記図１８に示すスピーカーシステム１００の構成に必ずしも限定されるものではなく、本発明の趣旨を逸脱しない範囲において種々の変更を加えることが可能である。
【００６８】
例えば、図１９に示すスピーカーシステム１００Ａのような構成であってもよい。なお、図１９は、スピーカーシステム１００Ａの構成を示す側面図である。すなわち、このスピーカーシステム１００Ａは、３つのスピーカー装置１を備えた構成であり、それぞれのスピーカー装置１は、柱部４２から互いに同じ長さ且つ同じ角度で分岐した３本の枝部４１によって、それぞれのエンクロージャー３（外筐体５）の底面側が支持されている。
【００６９】
また、図２０に示すスピーカーシステム１００Ｂのような構成であってもよい。なお、図２０は、スピーカーシステム１００Ｂの構成を示す斜視図である。すなわち、このスピーカーシステム１００Ｂは、４つのスピーカー装置１を備えた構成であり、それぞれのスピーカー装置１は、柱部４２から互いに同じ長さ且つ同じ角度で分岐した４本の枝部４１によって、それぞれのエンクロージャー３（外筐体５）の底面側が支持されている。さらに、４つのスピーカー装置１は、正四面体の各頂点に位置するように、複数の枝部４１により支持されている。
【００７０】
このように、本実施形態のスピーカーシステム１００，１００Ａ，１００Ｂでは、スピーカー装置１の数や配置等について、適宜変更を加えることが可能である。また、スピーカー装置１の数を変更するのに合わせて、複数のスピーカー装置１を平面状に配置する際には、各スピーカー装置１の枝部４１の隣り合う角度が互いに等しくなるように配置する。また、複数のスピーカー装置１が正多面体の各頂点に位置するように、複数の枝部４１が柱部４２から分岐して設けられた構成とすることも可能である。
【００７１】
また、本実施形態のスピーカーシステム１００，１００Ａ，１００Ｂでは、複数の枝部４１と柱部４２との集合部分に緩衝部材（図示せず。）を設け、この緩衝部材を介して複数の枝部４１から柱部４２へと伝わる振動を互いに打ち消し合うようにしてもよい。
【００７２】
なお、本発明は、上記第１〜第３の実施形態の構成に必ずしも限定されるものではなく、本発明の趣旨を逸脱しない範囲において種々の変更を加えることが可能である。
例えば、本発明を適用したスピーカー装置は、上述した外筐体と内筐体との間に真空層が設けられた真空二重構造を有するエンクロージャーを用いる場合に限らず、外筐体と内筐体との間に空隙が設けられた二重構造を有するエンクロージャーを用いることも可能である。
【００７３】
また、本発明を適用したスピーカー装置及びスピーカーシステムでは、エンクロージャーを保持する本体部を設け、この本体部からエンクロージャー（外筐体）の一部を露出した構成とすることが好ましい。この場合、本体部の内側でスピーカーユニットに接続された配線などを引き回すことが可能である。
【００７４】
この場合、上述したエンクロージャーが真空二重構造を有するため、真空層によって内筐体から外筐体への振動の伝播が阻止されるだけでなく、外筐体から内筐体への振動の伝播も阻止できる。したがって、エンクロージャー（外筐体）の少なくとも一部を外部に露出した状態で、エンクロージャーを本体部に保持することによって、更なる小型化及び軽量化が可能である。
【００７５】
また、本発明は、例えばＢｌｕｅｔｏｏｔｈ（登録商標）などの近距離無線規格に準じた無線通信によりパソコンやスマートフォンなどのデジタル機器で再生された音楽等をワイヤレスで聴くことができる携帯可能な小型スピーカー装置及びスピーカーシステムに適用することが可能である。この場合、上述した本発明を適用したスピーカー装置及びスピーカーシステムの構成とは別に、支持脚や本体部の内側に、バッテリーや通信モジュール、制御回路基板等を配置した構成とすればよい。
【００７６】
また、本体部には、スピーカーユニットが発する音響を外部に放出する放音部や、電源のＯＮ／ＯＦＦを切り替える電源スイッチなどを設けることができる。なお、スピーカーユニットの音量調整については、上述したデジタル機器側での操作によってワイヤレスでの調整が可能であるが、本体部側にスピーカーユニットの音量を調整する音量スイッチを設けることも可能である。
【００７７】
また、本体部には、それ以外にも、例えばＭｉｎｉ−ＵＳＢ（登録商標）などの充電用の接続ポートや、別のスピーカー装置などに接続するためのＡＵＸ出力ジャック、別のデジタル機器などに接続するためのＡＵＸ入力ジャックなどが設けられているが、これらに特に限定されるものではない。
【００７８】
また、本発明を適用したスピーカー装置及びスピーカーシステムは、上述した支持脚により設置面上に設置する場合に限らず、支持脚を介して壁面に設置したり、天井から吊り下げたりすることも可能である。この場合、振動を考慮せずに従来より安価に設置することが可能である。
【符号の説明】
【００７９】
１，１Ａ，１Ｂ…スピーカー装置  ２Ａ…第１のスピーカーユニット  ２Ｂ…第２のスピーカーユニット  ３Ａ…第１のエンクロージャー  ３Ｂ…第２のエンクロージャー  ４…支持脚  ５，５Ａ…外筐体  ６…内筐体  ６Ａ…第１の内筐体  ６Ｂ…第２の内筐体  ７…真空層（空隙）  ８…シール部材  ９…緩衝部材  ４０…支持脚  ４１…枝部  ４２…柱部  ４３…脚部  １００，１００Ａ，１００Ｂ…スピーカーシステム
【図１】
0006398140.tif 000002
【図２】
0006398140.tif 000003
【図３】
0006398140.tif 000004
【図４】
0006398140.tif 000005
【図５】
0006398140.tif 000006
【図６】
0006398140.tif 000007
【図７】
0006398140.tif 000008
【図８】
0006398140.tif 000009
【図９】
0006398140.tif 000010
【図１０】
0006398140.tif 000011
【図１１】
0006398140.tif 000012
【図１２】
0006398140.tif 000013
【図１３】
0006398140.tif 000014
【図１４】
0006398140.tif 000015
【図１５】
0006398140.tif 000016
【図１６】
0006398140.tif 000017
【図１７】
0006398140.tif 000018
【図１８】
0006398140.tif 000019
【図１９】
0006398140.tif 000020
【図２０】
0006398140.tif 000021